(57)【要約】【課題】レース内容などを表示するための操作の煩雑を解消する着順およびタイム判定装置を提供する。【解決手段】レース順の各レースＮｏにおける複数の設定項目に対する設定内容を示すレース順メニューを予め登録してなる（図１のＣＰＵ５−８で）ことを特徴とする。【選択図】　図１
2004086669.tif 000002
【特許請求の範囲】
【請求項１】
レース順の各レースＮｏにおける複数の設定項目に対する設定内容を示すレース順メニューを予め登録してなることを特徴とする着順およびタイム判定装置。
【請求項２】
請求項１記載において、前記レース順メニューは、レース番号、種目モード、取込周期、レース補足説明の少なくとも２つの設定項目を含むメニューからなることを特徴とする着順およびタイム判定装置。
【請求項３】
請求項２記載において、前記種目モードは、本番と、スタート展示を少なくとも有することを特徴とする着順およびタイム判定装置。
【請求項４】
予め登録しているところのレース順の各レースＮｏにおける複数の設定項目に対する設定内容を示すレース順メニューのうち、レース直前のレースＮｏにおける複数の設定項目に対する設定内容をモニタ画面に表示することを特徴とする着順およびタイム判定装置。
【請求項５】
請求項４記載において、前記レースＮｏにおける複数の設定項目に対する設定内容を、そのレースＮｏのレース終了後に、その次のレースＮｏにおける複数の設定項目に対する設定内容に切替えて表示することを特徴とする着順およびタイム判定装置。
【発明の詳細な説明】
【０００１】
【発明の属する技術分野】
本発明は、ラインセンサカメラを使用して競艇、競馬、競輪、陸上競技等のレースにおける着順およびタイム判定装置に関するものである。
【０００２】
【従来の技術】
着順およびタイム判定装置は、判定基準線上を通過する移動体をラインセンサカメラで撮像し、そのとき出力される１次元の映像信号を２次元のディジタル映像データに変換し、着順およびタイム判定に必要なディジタル情報データとともに画像記録部に記憶し、読み出してビデオモニタに表示して、着順とタイムを判定するようにしている。
【０００３】
しかしながら、一日に数多くのレースが行われるため、各レース直前に、モニタ画面に、これから行われるレースのレース内容を表示して、各レース毎にレース内容を確認する必要がある。ここでレース内容には、ラインセンサカメラからの映像信号の取込周期など装置の動作条件も含まれる。
【０００４】
【発明が解決しようとする課題】
ところが、競技では、あるレース番号の本番前にその次のレース番号の展示航走を行う。また特に競艇では、あるレース番号の本番前にその次のレース番号の展示航走のみならずスタート展示も行うようになった。
【０００５】
ここで展示航走とはレースの一定区間を各競艇が順次航走して航走時間を観衆に知らせる航走であり、スタート展示はスタートラインの手前から用意ドンの合図とともにスタートして１秒以内にスタートラインを通過するスタートダッシュを観衆に知らせる航走であり、これらは、本番の何レースか前に、各競艇の調子を観衆に知らせるために行う。
【０００６】
このように、レースの順番は、レース番号が前後するだけでなく種目モード数なども多く、したがって各レースのレース内容を表示するための操作が一層煩雑となり、その結果、誤操作を起す可能性がますます増えてきた。
【０００７】
本発明の目的は、レース内容などを表示するための操作の煩雑を解消する着順およびタイム判定装置を提供することにある。
【０００８】
【課題を解決するための手段】
本発明は、レース順の各レースＮｏにおける複数の設定項目に対する設定内容を示すレース順メニューを予め登録してなることを特徴とする。
【０００９】
本発明は、上記記載において、前記レース順メニューは、レース番号、種目モード、取込周期、レース補足説明の少なくとも２つの設定項目を含むメニューからなることを特徴とする。
【００１０】
本発明は、上記記載において、前記種目モードは、本番と、スタート展示を少なくとも有することを特徴とする。
【００１１】
本発明は、予め登録しているところのレース順の各レースＮｏにおける複数の設定項目に対する設定内容を示すレース順メニューのうち、レース直前のレースＮｏにおける複数の設定項目に対する設定内容をモニタ画面に表示することを特徴とする。
【００１２】
本発明は、上記記載において、前記レースＮｏにおける複数の設定項目に対する設定内容を、そのレースＮｏのレース終了後に、その次のレースＮｏにおける複数の設定項目に対する設定内容に切替えて表示することを特徴とする。
【００１３】
【発明の実施の形態】
本発明の実施の形態として、競艇、競輪、陸上競技に使用する着順およびタイム判定装置について、図１〜図５により説明する。
【００１４】
図１は、本発明の着順およびタイム判定装置の実施の形態を示すブロック図である。図１において、１はゴールライン等の判定基準線、２は判定基準線１上を通過する移動体例えばボート、自転車、走者、３はラインセンサカメラ、４はレンズ、５は画像記録部、６はビデオモニタ、７は画像ファイリング装置、８はビデオプリンタ、９は審判用モニタ、１０は基準タイマスタート信号、１１はメモリ取込み信号、１２は操作器、１３はマウスやキーボードからなる入力装置である。
【００１５】
画像記録部５をさらに詳しく説明すると、５−１はラインセンサカメラ３から出力された映像信号をディジタル映像データに変換するＡ／Ｄ変換回路、５−２はＡ／Ｄ変換回路５−１からのディジタル映像データをメモリ部に記憶させる書き込み回路、５−３はディジタル映像データやディジタル情報データを記憶するメモリ部、５−４はメモリ部５−３に記憶したディジタル映像データやディジタル情報データを走査変換して読み出す読み出し回路、５−５はタイム発生器、５−６はメモリ部５−３の書き込みおよび読み出しを制御するアドレス制御部、５−７は文字発生器、５−８は中央処理装置（以下ＣＰＵという）、５−９は外部信号とのインタフェイスを行うインタフェイス回路、５−１０はビデオモニタ６への入力を切り替るスイッチである。
【００１６】
被写体である判定基準線上１を通過する移動体２をレンズ４を使用してラインセンサカメラ３により撮像し、一次元映像信号を得る。
【００１７】
ラインセンサカメラ３の映像信号は、画像記録部５へ出力され、画像記録部５では、入力された映像信号がＡ／Ｄ変換回路５−１により２次元のディジタル映像データに変換され、書き込み回路５−２を経由して、メモリ部５−３へ書き込まれ記憶される。
【００１８】
メモリ部５−３は、ラインセンサカメラ３からのディジタル映像データを記憶すると同時に、例えばスタートからの経過時刻を画像に重畳表示するためのタイム発生器５−５と競技名等の文字や記号、判定線を画像に重畳するための文字発生器５−７からのディジタル情報データとが記憶される。
【００１９】
読み出し回路５−４は、メモリ部５−３に記憶されているディジタル映像データやディジタル情報データの中から着順およびタイム判定に必要な部分を二次元の映像信号と情報信号として読み出し、テレビジョン信号に走査変換して、スイッチ５−１０を経由してビデオモニタ６へ出力する。
【００２０】
ビデオモニタ６は、読み出し回路５−４から入力された二次元の映像信号と情報信号からの着順およびタイムの判定に必要な信号を表示する。また、必要に応じて画像ファイリング装置７に記録、保存し、また、ビデオプリンタ８にその画像をプリントすることも行える。
【００２１】
またビデオモニタ６で表示する画像と同じ画像が、審判用モニタ９に供給され表示される。
【００２２】
上記書き込み回路５−２、メモリ部５−３、読み出し回路５−４等は、アドレス制御部５−６の制御信号により、書き込み、読み出しの制御が行われる。また、操作器１２からの、映像信号や情報信号等の信号の記録および読み出しの手段の選択による各種制御や、外部供給信号として基準タイマスタート信号１０、メモリ取込み信号１１等は、インタフェイス回路５−９を経由し、装置全体の制御を含めＣＰＵ５−８により管理される。
【００２３】
上述した基本的な動作については、この着順およびタイム判定装置を使用する各競技例えば競艇、競輪、陸上競技等において共通ではあるが、個々の判定業務上、各競技特有の機能を表示したり制御したりするための操作が必要である。
【００２４】
例えば、競艇の場合、各レース順のその直前に、少なくとも、レース番号、種目モード（展示航走・スタート展示・本番）、取込周期（０．５ｍｓ・１ｍｓ）、レース補足説明表示内容などを設定する必要がある。
【００２５】
本発明の実施の形態においては、各レース順における、レース番号、種目モード、取込周期、レース補足説明の設定項目を含むレース順メニューを、予め登録しておき、操作器の「ＮＥＸＴ」「ＢＡＣＫ」で、各レース順の内の次のレースを選択する。なお、操作器のスイッチで個別に設定した場合には、すべてを個別に確認する必要があるため、設定内容をモニタ画面で確認するとよい。
【００２６】
次に、このことを、図２の運用を示すフローチャートにより説明する。
【００２７】
まずステップ２１では、レース順メニューの設定すなわち各レース毎の複数の設定項目に対して設定内容を選択記入して設定登録する。設定時には、図１のスィッチ５−１０を切り替えてＣＰＵ５−８をビデオモニタ６に接続して、ビデオモニタ６の画面６ａに、図３に示すレースメニュー３０のうち、各レースの複数の設定項目に対する設定内容を選択して登録するための記入枠を表示する。
【００２８】
図３は各レースの複数の設定項目に対する設定内容を選択して登録した結果のレース順メニュー３０の例を示している。図３において、設定項目は、主催者、開催回、開催日、レースＮｏ、レース番号、種目モード、取込周期、レース補足説明であり、この各設定項目と上記レースＮｏの順を示す数字とが、選択して登録する以前すなわち設定開始時に、図１のＣＰＵ５−８によりビデオモニタ６のモニタ画面６ａに表示される。
【００２９】
ビデオモニタ６のモニタ画面６ａには、図３に表示の設定項目の上に、図示していないが、パソコン画面と同様のメニューバーを表示し、メニューバーとして、上記設定項目の主催者、開催回、開催日、レースＮｏ、レース番号、種目モード、取込周期の項目を設け、各項目のサブメニューとして設定内容が記載の項目を設けることにより、図１の入力装置１３のマウスやキー操作で選択記入して設定登録することができる。また設定項目のうちレース補足内容は図１の入力装置１３のキー操作で文字の入力による選択記入により設定登録することができる。
【００３０】
このように、図１の入力装置１３の操作で選択記入により、図３に図示のレース順メニュー３０の設定ができ、図１のＣＰＵ５−８に登録される。
【００３１】
図２のステップ２２では、自動的に各レース毎にソートを行う。
【００３２】
ステップ２３では、各レースのスタート直前に、各レースのレースＮｏの選択を、図１の操作器１２に設けた図４に示すＮＥＸＴボタン１２−１とＢＡＣＫボタン１２−２を使って、各レースのレースＮｏに対する設定内容３１（図５）に該当する信号のみを選択し、図１におけるラインセンサカメラ３からの映像信号および着順およびタイムの判定に必要な信号に重畳させることにより、ビデオモニタ６および審判用モニタ９に入力させることができ、したがってビデオモニタ６のモニタ画面６ａおよび審判用モニタ９のモニタ画面６ａに、図５に示すところの選択したレースＮｏに対する設定内容３１を表示することができる。
【００３３】
ステップ２４では、モニタ画面で次レースの設定内容を確認する。ステップ２５では、図１のＣＰＵ５−８がスタート画面を取込む。ステップ２６では、ＣＰＵ５−８がフライング判定する。ステップ２７では、ＣＰＵ５−８がゴール画面を取込む。
【００３４】
ステップ２８では着順判定する。ステップ２９ではタイム判定する。ステップ２ａでは、判定画像を図１のビデオプリンタ８でプリントする。ステップ２ｂでは判定画像を保存する。
【００３５】
ステップ２ｃでは、モニタ画面をクリアしてステップ２３に戻り、図１の操作器１２の図４に示すＮＥＸＴボタン１２−１を操作して、図５に示すレースＮｏに対する設定内容３１として、図５に示すレースＮｏ１に対する設定内容が消え、次のレースＮｏ２に対する設定内容（図３のＮｏ２の項に記載の設定内容が表示される。以下は上記と同様にして、レースが全て終わるまで繰り返される。
【００３６】
本実施の形態によれば、レース順の各レースＮｏにおける複数の設定項目に対する設定内容を示すレース順メニューを予め登録しておき、レース前に操作器の「ＮＥＸＴ」「ＢＡＣＫ」で、レース直前のレースＮｏにおける複数の設定項目に対する設定内容をモニタ画面に表示するので、レース内容などを表示するための操作の煩雑を解消することができる。
【００３７】
【発明の効果】
本発明によれば、レース内容などを表示するための操作の煩雑を解消する着順およびタイム判定装置を得ることができる。
【図面の簡単な説明】
【図１】本発明の着順およびタイム判定装置の実施の形態を示すブロック図である。
【図２】本発明の着順およびタイム判定装置の実施の形態の運用を示すフローチャート図である。
【図３】各レースの複数の設定項目に対する設定内容を選択して登録した結果のレース順メニューの例を示す図である。
【図４】図１の操作器の概要を示す図である。
【図５】図１のビデオモニタおよび審判用モニタのモニタ画面での表示例を示す図である。
【符号の説明】
１…判定基準線、２…移動体、３…ラインセンサカメラ、４…レンズ、５…画像記録部、５−１…Ａ／Ｄ変換回路、５−２…書き込み回路、５−３…メモリ部、５−４…読み出し回路、５−５…タイム発生器、５−６…アドレス制御部、５−７…文字発生器、５−８…中央処理装置、５−９…インタフェイス回路、５−１０…スイッチ、６…ビデオモニタ、７…画像ファイリング装置、８…ビデオプリンタ、９…審判用モニタ、１０…基準タイマスタート信号、１１…メモリ取込み信号、１２…操作器、１２−１…ＮＥＸＴボタン、１２−２…ＢＡＣＫボタン、１３…入力装置、３０…レース順メニュー、３１…レースＮｏに対する設定内容。
【図１】
2004086669.tif 000003
【図２】
2004086669.tif 000004
【図３】
2004086669.tif 000005
【図４】
2004086669.tif 000006
【図５】
2004086669.tif 000007